(57)【特許請求の範囲】
【請求項１】
プラスチックの表面に雄雌一対の封止用鈎爪が形成されたスライダー付きプラスチックチャックにおいて、開口側に封止用鈎爪と平行に雄雌一対のスライダー案内用鈎爪を設け、且つスライダーの内側ガイドを封止用鈎爪とスライダー案内用鈎爪との間に位置させたことを特徴とする不正開封を防止したスライダー付きプラスチックチャック。
【請求項２】
プラスチックの表面に雄雌一対の封止用鈎爪が形成されたスライダー付きプラスチックチャックであって、且つ雄鉤爪の内側に該爪と平行な連続締付壁を雌鉤爪の内側に該爪と平行な連続押付けリブを各々有するスライダー付きプラスチックチャックにおいて、開口側に封止用鈎爪と平行に雄雌一対のスライダー案内用鈎爪を設け、且つスライダーの内側ガイドを封止用鈎爪とスライダー案内用鈎爪との間に位置させたことを特徴とする不正開封を防止したスライダー付きプラスチックチャック。
【請求項３】
スライダー案内用鈎爪が、開口側から開口する際の強度として４ｋｇｆ／５０mm以上の強度を有することを特徴とする請求項１又は２に記載の不正開封を防止したスライダー付きプラスチックチャックスチック。
【請求項４】
請求項１〜３の何れかに記載されたスライダー付きプラスチックチャックスチックを備えていることを特徴とする袋体。
【発明の詳細な説明】
【０００１】
【発明の属する技術分野】
本発明は、食品，薬品，電子部品の包装容器に使用される複数回の開閉後でも密閉性を保ちながら開口が容易で再封止可能であり、且つ不正開封を防止したスライダー付きプラスチックチャック及び該チャック付き袋体に関する。
【０００２】
【従来の技術】
食品、薬品、電子部品その他の各種の物品の包装材としてプラスチックチャックを備えた袋体が多く使用されており、特にスライダー付きプラスチックチャックは封止が容易で再封止可能な物として多用されている。
図１は通常のプラスチックチャックの断端面図であり、雄鈎爪Ｍ１−１と雌鈎爪Ｆ１−１及びＦ１−２とが嵌合して封止される構造となっているが、このチャックの開閉に用いられるスライダーは、外側と内側のガイドで構成されており，通常は、雄雌の鉤爪の間に挿入された内側ガイドがスライドすることによりチャックの鉤爪を開かせ、雄雌一対の鉤爪を挟持した外側ガイドがスライドすることによりチャックの鉤爪を閉じる構造のものが使用されている（特開平８−２１４９２０号公報）。
しかし、この通常型スライダーでは、チャックを完全に締めても、内側ガイドが端部において鉤爪の間に挿入された状態となっていて、その部分から洩れを生ずるために、密閉を必要とする用途には使用できず専ら雑貨類などの密閉の必要がない用途にのみ使用されていた。
【０００３】
特殊な形状のプラスチックチャックとこれに適合したスライダーを用いてスライダーを閉止した状態で密閉を保つ構造のチャックも提案されている（米国特許第５，０６７，２０８号及び５，６６４，２９９号）。これらのチャックでは小さい力で外れ易くする目的で、チャックを構成するプラスチック材料の弾性を用いて密閉性を保っているために、温度変化などで弾性率が変わると開閉操作後の密閉性を持続することができず洩れ量が増加し、液体などの、洩れがあると困る内容物には使用できない。
【０００４】
一方、プラスチックの表面に形成された雄雌一対の鈎爪の雄鉤爪の内側に該爪と平行に連続締付壁を、雌鉤爪の内側に該爪と平行に連続押付けリブを形成して、この連続締付壁と連続押付けリブとの密着性や自緊効果によって優れた持続的密閉性や耐衝撃性を有するチャック（以下、密閉チャックという。）が提案されている（特許第２，９３８，７８４号）。
図２は、この密閉チャックの断端面図であり、雄鉤爪Ｍ２−１及びＭ２−２の内側に該爪に平行に形成された連続締付壁Ｒ１と雌鈎爪Ｆ２−１及びＦ２−２の内側に該爪に平行に形成された連続押付けリブＲ２とが密着し、締め付け合っている。この密閉チャックは密閉性と耐衝撃性に優れ、また温度による性能変化もほとんどないことから、液体などの包装に適している。
【０００５】
この密閉チャックにおいて内側ガイドが鉤爪の間に挿入される構造の従来のスライダーを使用したのでは、折角の密閉性が損なわれることになるが、この問題を解決したものとして、本発明者は、プラスチックチャックの雄雌一対の鈎爪の開口側（外側）に該鈎爪の雄鉤爪と雌鉤爪とにそれぞれ平行にスライダー案内用の突起を設け，該突起とプラスチックチャックの開口側の鉤爪との間にスライダーの内側ガイドを位置させたスライダー付きプラスチックチャックを提案した（特願平１１−３１６４６９号）。
【０００６】
図３は上記のスライダー案内用の突起を設けたチャックの断端面図であり、雄鉤爪Ｍ２−１と雌鉤爪Ｆ２−１とにそれぞれ平行にスライダー案内用の突起Ｇ１−１及びＧ１−２を設けてある。図４はこのチャックに使用するスライダーの斜視図、図５は図４でのＢ−Ｂ’線切断断端面図であり、スライダーＳは内側ガイドＳ１と外側ガイドＳ２とから構成されている。図６は雄雌一対の鉤爪が外側ガイドＳ２で挟持されてチャックが閉じている状態を示す断端面図であり、図７は雄鉤爪Ｍ２−１及び雌鉤爪Ｆ２−１と突起Ｇ１−１及び突起Ｇ１−２との間に位置するスライダーの内側ガイドＳ１によりチャックが閉じている状態を示す断端面図である。図５に示すような形状の内側ガイドを有するスライダーがスライドすることにより、図６に示した状態から中間の状態を経て図７に示した状態までに、またその逆の方向に、連続的に変化し、チャックの開閉が行われる。
【０００７】
特願平１１−３１６４６９号では、更なる改良として、図８として斜視図で示した如く、プラスチックチャック付きの袋体のプラスチックチャック末端部分は、通常ヒートシールーＨＳ部でシールされているのに対し、ヒートシールー部分の直前の位置に開口側の鉤爪Ｆ２−１, Ｍ２−１の上部とスライダー案内用の突起Ｇ１−２，Ｇ１−１との間に貫通する、内側ガイドを停止させるための孔Ｈ１，Ｈ２を設け、閉止、密着を確実にすることも提案されている。
【０００８】
近来、被包装物の多様化に伴い更に高度な気密性が要求されると同時に、密閉包装後に不正な目的や誤りによって開封され、異物が混入されたり、内容物の品質が損なわれる等の不都合を防止するため、密閉包装後に開封されたことが検知する機能を付与することが望まれている。
しかし、上記のスライダー付きプラスチックチャックにあっては、閉止状態にあるプラスチックチャックを外部からスライダー案内用突起部を引っ張ることによって開口することができるため、不正開封を防ぐことができない欠点がある。
【０００９】
【発明が解決しようとする課題】
本発明者は鋭意研究した結果、高度の気密性を有し、且つ開封及び再開閉が容易なスライダー付きプラスチックチャック、及び更にスライダーを使用しない不正な開封を防ぐことのできる、スライダー付きプラスチックチャック及びそれらのスライダー付きプラスチックチャック付きの袋体を開発した。
【００１０】
【課題を解決するための手段】
前記の課題を解決するための手段を要約すれば、下記のとおりである。
（１）プラスチックの表面に雄雌一対の封止用鈎爪が形成されたスライダー付きプラスチックチャックにおいて、開口側に封止用鈎爪と平行に雄雌一対のスライダー案内用鈎爪を設け、且つスライダーの内側ガイドを封止用鈎爪とスライダー案内用鈎爪との間に位置させた不正開封を防止したスライダー付きプラスチックチャック、
（２）プラスチックの表面に雄雌一対の封止用鈎爪が形成されたスライダー付きプラスチックチャックであって、且つ雄鉤爪の内側に該爪と平行な連続締付壁を雌鉤爪の内側に該爪と平行な連続押付けリブを各々有するスライダー付きプラスチックチャックにおいて、開口側に封止用鈎爪と平行に雄雌一対のスライダー案内用鈎爪を設け、且つスライダーの内側ガイドを封止用鈎爪とスライダー案内用鈎爪との間に位置させた不正開封を防止したスライダー付きプラスチックチャック、
（３）スライダー案内用鈎爪が、開口側から開口する際の強度として４ｋｇｆ／５０mm以上の強度を有する（１）又は（２）の不正開封を防止したスライダー付きプラスチックチャック、及び
（４）上記（１）〜（３）の何れかのスライダー付きプラスチックチャックを備えた不正開封を防止した袋体。
【００１１】
【発明の実施の形態】
本発明の実施の態様を図面によってさらに詳しく説明する。
本発明のスライダー付きプラスチックチャックは、前記の特願平１１−３１６４６９号として出願した、図３〜７に示した如きスライダー付きプラスチックチャックに於けるスライダー案内用突起Ｇ１−１及びＧ１−２の代わりにスライダー案内用鈎爪を設けたものである。
即ち、図９は本発明のスライダー付きプラスチックチャックの１態様における、チャックの断端面図であり、雄鉤爪Ｍ２−１及びＭ２−２、連続締付壁Ｒ１、雌鈎爪Ｆ２−１及びＦ２−２並びに連続押付けリブＲ２からなる、本来の密着チャックを形成する封止用鈎爪と平行に、雄鈎爪Ｇ２−１及び雌鈎爪Ｇ２−２の雄雌一対のスライダー案内用鈎爪が設けられている。尚、図９に示した態様は、密着チャックにスライダー案内用鈎爪を設けたものであるが、図１０に示したように、通常状型チャックの封止用鈎爪にスライダー案内用鈎爪を設けた態様であってもよい。
【００１２】
また、本発明者が先に出願（特願２０００−３４３０５７号）した、密着チャックの連続締付壁と連続押付けリブの一方又は両方に、或いは通常型チャックの雄鈎爪と雌鈎爪の一方又は両方に予め易剥離プラスチック層を設けて密封時に易剥離プラスチック層を介して接着したチャックや、さらにその場合の易剥離プラスチック層と接着する相手方とを異なる色とすることによって接着している時の色と剥がした時の色とが変化するようにしたチャックとすることによって、本発明の効果である不正な開封を防止するという効果を更に高めることができる。
【００１３】
本発明のスライダー付きプラスチックチャックに使用するスライダーは、前記した特願平１１−３１６４６９号のスライダー付きプラスチックチャックに於けるスライダーであって、図４〜７に基いて説明したものと同様の形状、機能のものである。
図１１は、図９に示したチャックにスライダーを装着して、チャックを開いた状態を示す断面図であり、雄鉤爪Ｍ２−１、雌鈎爪Ｆ２−１等からなる密着チャック型の封止用鈎爪とＧ２−１及びＧ２−２からなるスライダー案内用鈎爪の間に位置した、内側ガイドで広げることによりチャックが開いていることを示している。
【００１４】
スライダー案内用鈎爪にはフランジ（図９及び図１０にＨ３−１、Ｈ３−２として示している。）を設けても差し支えないが、あまり幅広のフランジとすると、そこを掴んで不正に開口される可能性があるので、フランジを全く設けないか又は製造上で必要最小限度の幅とするのが好ましい。
スライダー案内用鈎爪は、開口側から開く場合の開口強度を４ｋｇｆ／５０ｍｍ以上、特に６ｋｇｆ／５０ｍｍ以上とした構造であることが好ましく、それを下回る開口強度では、手で容易に開口でき、不正に開口される可能性が生じる。
但し、スライダー案内用鈎爪を開口側の反対側、即ち封止用鈎爪側から開く場合の開口強度はそれ程大きくする必要は無く、それが大きいとスライダーをスライドさせてチャックを開く際に大きな力が必要となるので、好ましくない。
従って、図９、１０に示したように、スライダー案内用鈎爪の雄鈎爪及び雌鈎爪の形状を非対称形として、開く方向によって異なった開口強度とするのが、好ましい。
なお、フランジを有しないか又は僅かな幅のフランジしか有しないチャックの開口強度を測定するに際しては、超音波溶接機などを用いて、チャックの鉤爪に熱影響が生じないように注意して、チャックにフランジを接着して測定を行う。
【００１５】
【実施例】
袋の内側が厚さ６０μの線状低密度ポリエチレン樹脂フイルム、外側が厚さ１５μのポリアミド樹脂フイルムとなるようにドライラミネートした積層フイルムで作成した１４０幅×２００高さの三方シールの平袋に、材質が低密度ポリエチレン樹脂で、嵌合状態におけるチャックの幅が３．９ｍｍ、厚さが２．６ｍｍ、チャックの内容物側フランジの長さが７ｍｍ、開口側のフランジ部の雌爪Ｆ２−１から１．９ｍｍの位置に雄雌のフランジにそれぞれ嵌合状態における幅が２．０ｍｍ、厚さが２．４ｍｍ、で開口側からの開口強度が６ｋｇｆ／５０ｍｍのとなるチャックの雌雄の鉤爪を設けた図９に示す如きの密閉チャックの内容物側フランジ部分を該平袋の開口部末端の内側にヒートシールーした。（チャックの両端のヒートシール部分の一方から０．５ｍｍの位置にチャックの爪と突起の間に図８に示す如きの長さ１１ｍｍ、幅１ｍｍの孔Ｈ１，Ｈ２を設け、チャックの閉止末端においてチャック部分のヒートシールを６ｍｍ袋の内側にはみ出させたプラスチックチャック付き袋体を作成し，さらに該プラスチックチャック付き袋体に長さ１１ｍｍ，幅１１ｍｍ，高さ１２ｍｍで内部ガイドの最大幅が７ｍｍのポリプロピレン製のスライダーを取り付けてなるスライダー付きプラスチックチャック袋体を作成した。
【００１６】
これらの袋体をスライダーを用いてチャックを閉鎖した部分を外部から開封を試みたが開封することができなかった。
この袋１０点にスライダーでチャックを開き水７００ｃｃを充填しスライダーによってチャックを閉止した後，ＪＩＳ  Ｚ−０２３８に準じた方法で落下高さ３０cmより水平方向とチャックが床面に当たる方向で落下させ、さらに４５ｋｇｆで圧縮した後チャックからの水漏れの有無を確認したところ何れの袋からも全く水漏れは生じなかった。
この結果、該スライダー付きプラスチックチャック袋体は耐衝撃性と耐漏洩性に極めて優れていると共に，閉鎖状態のチャックを不正開封することができないと判断された。
【００１７】
【発明の効果】
本発明のスライダー付きチャックは、開口側に封止用鈎爪とは別に、スライダー案内用鈎爪を設けることにより、封止用鈎爪の本来有している気密性その他の特性を損なうことなく、しかもスライダーのスライド以外の手段による不正な開封を防止できるものである。
【図面の簡単な説明】
【図１】  通常型プラスチックチャックの嵌合状態を示す断端面図
【図２】  密閉型プラスチックチャックの嵌合状態を示す断端面図
【図３】  スライダー案内用突起部を有する密閉型プラスチックチャックの嵌合状態を示す断端面図
【図４】  スライダー案内用突起部を有する密閉型プラスチックチャックに使用するスライダーの斜視図
【図５】  図４におけるＢ−Ｂ’線切断断面図
【図６】  スライダー案内用突起部を有する密閉型プラスチックチャックがスライダーの外側ガイトで挟持されて閉じている状態を示す断端面図
【図７】  スライダー案内用突起部を有する密閉型プラスチックチャックがスライダーの内側ガイトで広げられて開いている状態を示す断端面図
【図８】  スライダーの内側ガイドの停止機能を備えた袋体の斜視図
【図９】  本発明の一対のスライダー案内用鈎爪を備えた密閉型プラスチックチャックの断端面図
【図１０】  本発明の一対のスライダー案内用鈎爪を備えた通常型プラスチックチャックの断端面図
【図１１】  本発明の一対のスライダー案内用鈎爪を備えた密閉型プラスチックチャックスライダーの内側ガイトで広げられて開いている状態を示す断端面図
【符号の説明】
Ｍ１−１    雄鈎爪
Ｍ２−１    雄鈎爪
Ｍ２−２    雄鈎爪
Ｆ１−１    雌鈎爪
Ｆ１−２    雌鈎爪
Ｆ２−１    雌鈎爪
Ｆ２−２    雌鈎爪
Ｒ１        連続締付壁
Ｒ２        連続押付けリブ
Ｇ１−１    スライダー案内用突起
Ｇ１−２    スライダー案内用突起
Ｇ２−１    スライダー案内用鈎爪／雄爪
Ｇ２−２    スライダー案内用鈎爪／雌爪
Ｓ          スライダー
Ｓ１        スライダーの内側ガイド
Ｓ２        スライダーの外側ガイド
Ｈ１        内側ガイド停止用孔
Ｈ２        内側ガイド停止用孔
Ｈ３−１    フランジ
Ｈ３−２    フランジ
ＨＳ        ヒートシール部
【図１】
0004559615.tif 000002
【図２】
0004559615.tif 000003
【図３】
0004559615.tif 000004
【図４】
0004559615.tif 000005
【図５】
0004559615.tif 000006
【図６】
0004559615.tif 000007
【図７】
0004559615.tif 000008
【図８】
0004559615.tif 000009
【図９】
0004559615.tif 000010
【図１０】
0004559615.tif 000011
【図１１】
0004559615.tif 000012